(57)【要約】  制御チャネルを１または複数の論理チャネルに分割することにより、単一の物理制御チャネルを通して制御データ値を少なくとも一部分において容易に多重化するシステムおよび方法が記述される。前記物理制御チャネルは、多数のビットを送信するための対応するウォルシュ空間またはそれの表現を持つことができ、またウォルシュ空間は論理制御チャネルの間に分割され得る。加えて、論理制御チャネルおよび／または物理チャネルは、チャネル上のデータを区別するために、モバイル機器の識別子（ＭＡＣ ＩＤのような）によってスクランブルされ得る。さらに、セクタが確認可能な場合には、セクタ識別子はデータをスクランブルするために用いられ得る。
2010508000.tif 000002
【特許請求の範囲】
【請求項１】
制御チャネルを、利用可能な帯域幅の１または複数の部分にそれぞれ関連する複数の論理制御チャネルに分割することと、
制御データを関連する論理制御チャネルへマッピングすることと、
前記論理制御チャネルを通して前記制御データを送信することと、
を具備する、無線通信制御チャネルを通して通信する方法。
【請求項２】
前記制御データを前記関連する論理制御チャネルにマッピングすることは、前記制御データを送信するための論理制御チャネルに利用可能な１または複数のウォルシュ系列を選択すること、を含み、前記ウォルシュ系列は、前記分割された制御チャネルに利用可能なウォルシュ系列の総数に関連する請求項１の方法。
【請求項３】
前記選択されたウォルシュ系列は、連続しており、かつ異種の論理制御チャネルに対して選択されたウォルシュ系列のセットに隣接する請求項２の方法。
【請求項４】
前記制御データのソースの識別子に従って前記論理制御チャネル上の前記制御データをスクランブルすること、をさらに具備する請求項１の方法。
【請求項５】
１または複数の異種装置によって前記制御チャネルを確立すること、をさらに具備する請求項１の方法。
【請求項６】
１または複数の異種装置の１または複数の識別子に従って、前記論理制御チャネル上の制御データをスクランブルすること、をさらに具備する請求項５の方法。
【請求項７】
前記制御チャネルは、実質的に８ＯＦＤＭシンボルに及ぶ１．２５ＭＨｚにわたる１または複数のサブセグメントを含み、前記複数のモバイル機器は、分離サブセグセメントを通して制御チャネルを送信する請求項１の方法。
【請求項８】
前記１または複数のサブセグメントは、利用可能な帯域幅を時間と共にホップして横切り、前記サブセグメントの周期性はコンフィギュラブルである請求項７の方法。
【請求項９】
物理制御チャネルを、前記物理制御チャネルのウォルシュ空間を共有する複数の論理制御チャネルに分割するように構成された少なくとも１つのプロセッサと、
前記少なくとも１つのプロセッサに接続されたメモリと、
を具備する無線通信装置。
【請求項１０】
前記少なくとも１つのプロセッサは、さらに前記制御データを前記複数の論理制御チャネル内の関連する一つの制御チャネルに割り当て、前記論理制御チャネルを通して前記制御データを送信するように構成される請求項９の無線通信装置。
【請求項１１】
前記制御データは、リクエストデータと、制御チャネルまたは受信ビーコン信号の１または複数のメトリックに基づいて測定されるチャネル品質情報（ＣＱＩ）とを含み、前記ＣＱＩおよびリクエストデータは異種の制御チャネルに割り当てられる請求項１０の無線通信装置。
【請求項１２】
前記ウォルシュ空間は、逐次系列内の論理制御チャネルの間に分割され、所定の論理制御チャネルのために所定の逐次系列は、別の論理制御チャネルのための少なくとも１つの他の逐次系列に隣接する請求項９の無線通信装置、
【請求項１３】
前記複数の論理制御チャネルは、コンフィギュラブルな周期性を持つ請求項９記載の無線通信装置。
【請求項１４】
前記少なくとも１つのプロセッサは、さらに１または複数の異種装置による物理制御チャネルを確立するように構成される請求項９の無線通信装置。
【請求項１５】
前記少なくとも１つのプロセッサは、さらに前記１または複数の異種装置にコンフィギュレーションを送信するように構成され、前記物理制御チャネルは、前記コンフィギュレーション上の少なくとも一部に基づく複数の論理制御チャネルに分割される請求項１４の無線通信装置。
【請求項１６】
前記少なくとも１つのプロセッサは、さらに前記１または複数の異種装置の１または複数の識別子に従って、前記複数の論理制御チャネルの少なくとも１つの論理制御チャネル上の制御データをスクランブルするように構成される請求項１４の無線通信装置。
【請求項１７】
制御データを１または複数の論理制御チャネルに関連付ける手段と、
１つの物理制御チャネルを通して前記１または複数の論理制御チャネルを多重化する手段と、
前記物理制御チャネルを通して前記制御データを送信する手段と、
を具備する、制御データの通信のための無線通信装置。
【請求項１８】
前記無線通信装置の識別子に従って前記１または複数の論理制御チャネルを通して前記制御データをスクランブルする手段をさらに含む請求項１７の無線通信装置。
【請求項１９】
前記スクランブルは、さらに、前記物理制御チャネルを通して送信された前記制御データを受信する前記異種装置の識別子に基づく請求項１８の無線通信装置、
【請求項２０】
前記物理制御チャネルは、より大きなチャネルの８ＯＦＤＭシンボルに及ぶ１．２５ＭＨｚサブセグメントであり、１または複数の異種の無線通信装置は、前記より大きなチャネルの１または複数のサブセグメント上の制御データを送信する請求項１７の無線通信装置。
【請求項２１】
前記制御データは、前記物理制御チャネルに関するＣＱＩデータを含む請求項１７の無線通信装置。
【請求項２２】
前記制御データは、リクエストデータ、電力増幅器（ＰＡ）ヘッドルームデータ、および／またはパワースペクトル密度（ＰＳＤ）データを含む請求項１７の無線通信装置。
【請求項２３】
少なくとも１つのコンピュータに、制御チャネルを、利用可能な帯域幅の１または複数の部分にそれぞれ関連する複数の論理制御チャネルに分割させるためのコードと、
前記少なくとも一つのコンピュータに、制御データを関連する論理制御チャネルへマッピングさせるためのコードと、
前記少なくとも１つのコンピュータに、前記論理制御チャネルを通して制御データを送信させるためのコードと、
を有するコンピュータ読み取り可能な媒体を具備するコンピュータプログラム製品。
【請求項２４】
前記制御データを前記関連する論理制御チャネルにマッピングすることは、前記制御データを送信するための前記論理制御チャネルに利用可能な１または複数のウォルシュ系列を選択すること、を含み、前記ウォルシュ系列は、前記分割された制御チャネルに利用可能なウォルシュ系列の総数に関連する請求項２３のコンピュータプログラム製品。
【請求項２５】
１または複数の論理制御チャネルに制御データを関連させ、
１つの物理制御チャネルを通して前記１または複数の論理制御チャネルを多重化し、
前記物理制御チャネルを通して前記制御データを送信する、
ように構成されたプロセッサと、
前記プロセッサに接続されたメモリと、
を具備する無線通信装置。
【請求項２６】
物理制御チャネルを通して受信された制御データをデスクランブルすることと、
前記物理制御チャネルに対して論理制御チャネルコンフィギュレーションを決定することと、
前記論理制御チャネルコンフィギュレーション上の少なくとも一部に基づく１または複数の制御データ値をデマッピングすることと、
を具備する無線通信ネットワーク内の制御データを解釈する方法。
【請求項２７】
前記物理制御チャネルは、より大きなチャネルのサブセグメントであり、前記サブセグメントは、モバイル機器に固有である請求項２６の方法。
【請求項２８】
前記サブセグメントは、８ＯＦＤＭシンボルに及ぶ１．２５ＭＨｚにわたる請求項２７の方法。
【請求項２９】
前記制御データは、前記モバイル機器の識別子および／または前記物理制御チャネルに関するセクタ識別子に従ってデスクランブルされる請求項２７の方法。
【請求項３０】
前記制御データは、前記物理制御チャネルの品質に関するチャネル品質情報（ＣＱＩ）データを含む請求項２６の方法。
【請求項３１】
前記制御データは、さらに前記ＣＱＩデータよりむしろ異種の論理制御チャネル上のリクエストデータを含む請求項３０の方法。
【請求項３２】
物理制御チャネルをデスクランブルして異種の制御データ値をそれぞれ有する複数の論理制御チャネルに分割するように構成された少なくとも１つのプロセッサと、
前記少なくとも１つのプロセッサに接続されたメモリと、
を具備する無線通信装置。
【請求項３３】
前記少なくとも１つのプロセッサは、さらにモバイル機器によって前記物理制御チャネルを確立するように構成される請求項３２の無線通信装置。
【請求項３４】
前記デスクランブルは、前記モバイル機器の識別子の少なくとも一部分に基づく請求項３３の無線通信装置。
【請求項３５】
前記デスクランブルは、さらに前記無線通信装置に関するセクタ識別子の少なくとも一部分に基づく請求項３４の無線通信装置。
【請求項３６】
前記制御データ値は、前記物理制御チャネルの品質に関するチャネル品質情報（ＣＱＩ）データ値を含む請求項３２の無線通信装置。
【請求項３７】
前記制御データ値は、さらにＣＱＩデータよりむしろ異種の論理制御チャネル上のリクエストデータを含む請求項３６の無線通信装置。
【請求項３８】
前記物理制御チャネルは、より大きなチャネルの異種サブセグメントが１または複数のモバイル機器に固有の場合には、前記より大きなチャネルのサブセグメントであり、前記サブセグメントは、時間と共に前記より大きなチャネルを通してホップする請求項３２の無線通信装置。
【請求項３９】
物理制御チャネルを１または複数の論理制御チャネルに分割する手段と、
モバイル機器の識別子に従ってそれに関連する論理制御チャネルをデスクランブルする手段と、
前記制御チャネル内に含まれる制御データを解釈する手段と、
を具備する、１または複数のモバイル機器からの制御データを解釈するための無線通信装置。
【請求項４０】
前記モバイル機器によって前記物理制御チャネルを確立する手段をさらに含む請求項３９の無線通信装置。
【請求項４１】
前記物理制御チャネルを１または複数の論理制御チャネルに分割することに関するコンフィギュレーションを前記モバイル機器から受信する手段をさらに具備する請求項３９の無線通信装置。
【請求項４２】
前記デスクランブルすることは、さらに前記無線通信装置の識別子に関係する請求項３９の無線通信装置。
【請求項４３】
前記識別子は、前記無線通信装置のセクタのセクタ識別子である請求項４２の無線通信装置。
【請求項４４】
前記制御データは、チャネル品質情報（ＣＱＩ）データに対応する第１の制御データ値を含む請求項３９の無線通信装置。
【請求項４５】
前記制御データは、さらにリクエストデータ、電力増幅器（ＰＡ）ヘッドルームデータおよび／またはパワースペクトル密度（ＰＳＤ）データに対応する第２の制御データ値を含む請求項４４の無線通信装置。
【請求項４６】
前記第１および第２の制御データ値は、異種の論理制御チャネルを通して送信される請求項４５の無線通信装置。
【請求項４７】
少なくとも１つのコンピュータに、物理制御チャネルを通して受信された制御データをデスクランブルさせるためのコードと、
前記少なくとも１つのコンピュータに、前記物理制御チャネルのための論理制御チャネルコンフィギュレーションを決定させるためのコードと、
前記少なくとも１つのコンピュータに、前記論理制御チャネルコンフィギュレーションの少なくとも一部分に基づく１または複数の制御データ値のデマッピングを行わせるためのコードと、
を有するコンピュータ読み取り可能な媒体を具備するコンピュータプログラム製品。
【請求項４８】
前記コンピュータ読み取り可能な媒体は、前記少なくとも１つのコンピュータに、関係するモバイル機器の識別子に従って前記論理制御チャネルコンフィギュレーションの１または複数の論理制御チャネルをデスクランブルさせるためのコードをさらに含む請求項４７のコンピュータプログラム製品。
【請求項４９】
前記１または複数の制御データ値は、前記物理制御チャネルの品質に関するチャネル品質情報（ＣＱＩ）データを含む請求項４７のコンピュータプログラム製品。
【請求項５０】
物理制御チャネルを１または複数の論理制御チャネルに分割し、モバイル機器の識別子に従ってそれに関係する前記論理制御チャネルをデスクランブルし、前記制御チャネル内に含まれる制御データを解釈するように構成されたプロセッサと、
前記プロセッサに接続されたメモリと、
を具備する無線通信装置。
【発明の詳細な説明】
【技術分野】
【０００１】
関連出願の相互参照
この出願は、２００６年１０月２４日に出願された“SYSTEMS AND METHODS FOR CONTROL CHANNEL SIGNALING IN WIRELESS COMMUNICATION SYSTEMS”なるタイトルの米国仮特許出願第６０／８６２，６４７号の利益を主張する。前記出願の全体は、参照によってここに組込まれる。
【０００２】
以下の説明は、一般に無線通信に係り、より詳しくは無線通信システムにおける前方向リンク肯定応答チャネルに関する。
【背景技術】
【０００３】
無線通信システムは、例えば、音声、データなどのような種々のタイプの通信内容を提供するために広く展開している。典型的な無線通信システムは、利用可能なシステムリソース（例えば、帯域幅、送信パワー、…）の共有により、複数ユーザとの通信をサポートすることができる多元接続システムである。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含む。
【０００４】
通常、無線の多元接続通信システムは、複数のモバイル機器の通信を同時にサポートする。各モバイル機器は、前方向および逆方向リンクの送信によって１または複数の基地局と通信する。前方向リンク（あるいはダウンリンク）は基地局からモバイル機器までの通信リンクを指し、また、逆方向リンク（あるいはアップリンク）はモバイル機器から基地局までの通信リンクを指す。さらに、モバイル機器と基地局との間の通信は、単一入力／単一出力（ＳＩＳＯ）システム、多入力／単一出力（ＭＩＳＯ）システム、多入力／多出力（ＭＩＭＯ）システムその他によって確立される。
【０００５】
このようなシステムでは、リソースが割り当てられて利用される前方および／または後方リンクチャネル上で、制御データを送信することができる。例えば、制御データはチャネル品質情報（ＣＱＩ）、パイロットチャネルデータ、信号対雑音比（ＳＮＲ）データなどに関わる。また、制御データは送信装置から送られたビーコン信号または他の信号に基づいて決定される。さらに、制御データの送信のために、モバイル機器と基地局との間、またはセクタの間に専用チャネルを設けることができる。
【発明の概要】
【０００６】
以下、実施形態の基本的な理解を与えるために、１または複数の実施形態の簡単な要約を提示する。この要約は、全ての予想される広範囲な概略ではなく、全ての実施形態のキーすなわち重要な要素を特定すること、および実施形態の全てまたはいずれかの範囲を描写することを意図するものではない。その唯一の目的は、１または複数の実施形態のいくつかの概念を単純な形式で、以下に示されるより詳細な説明への前置きとして提示することである。
【０００７】
１または複数の実施形態およびそれに対応する開示に従って、種々の態様が１または複数の逆方向リンクチャネルを通しての制御データの通信を容易にする関連において記述される。制御データは、物理チャネルに利用可能なウォルシュ空間の分割により単一の物理制御チャネルを通して多重化され得る。互いに隣接する制御データを送信するために論理制御チャネルがウォルシュ系列を利用できる場合、ウォルシュ系列は制御データを送信するための１または複数の論理制御チャネルに割り当て可能である。
【０００８】
関連する態様によれば、無線通信制御チャネルを通して通信する方法がここに示される。その方法は、制御チャネルを、利用可能な帯域幅の１または複数の部分にそれぞれ関連する複数の論理制御チャネルに分割することを含むことができる。その方法は、さらに関連する論理制御チャネルへの制御データのマッピング、および論理制御チャネルを通しての制御データの送信を含むことができる。
【０００９】
別の態様は無線通信装置に関する。無線通信装置は、物理制御チャネルを、前記物理制御チャネルのウォルシュ空間を共有する複数の論理制御チャネルに分割するように構成された少なくとも１つのプロセッサを含むことができる。無線通信装置は、さらに当該少なくとも１つのプロセッサに接続されたメモリを含むことができる。
【００１０】
さらなる別の態様は、制御データの通信のための無線通信装置に関する。無線通信装置は、制御データを１または複数の論理制御チャネルに関連付ける手段と、１つの物理制御チャネルを通して前記１または複数の論理制御チャネルを多重化する手段を備えることができる。さらに、無線通信装置は物理制御チャネルを通して制御データを送信する手段を含むことができる。
【００１１】
さらに別の態様は、コンピュータプログラム製品に関する。コンピュータ製品は、少なくとも１つのコンピュータに、制御チャネルを、利用可能な帯域幅の１または複数の部分にそれぞれ関連する複数の論理制御チャネルに分割させるためのコードを有するコンピュータ読み取り可能な媒体を持つことができる。コードは、さらに前記少なくとも一つのコンピュータに、制御データを関連する論理制御チャネルへマッピングさせ、論理制御チャネルを通して制御データを送信させることができる。
【００１２】
別の態様によれば、無線通信システム内の装置は、１または複数の論理制御チャネルに制御データを関連させ、１つの物理制御チャネルを通して前記１または複数の論理制御チャネルを多重化し、前記物理制御チャネルを通して前記制御データを送信するように構成されたプロセッサを含むことができる。さらに、装置はプロセッサに接続されたメモリを含むことができる。
【００１３】
さらなる態様に従えば、無線通信ネットワーク内の制御データを解釈する方法がここに示される。この方法は、物理制御チャネルを通して受信された制御データをデスクランブルすることと、前記物理制御チャネルに対して論理制御チャネルコンフィギュレーションを決定することを備えることができる。この方法は、さらに前記論理制御チャネルコンフィギュレーション上の少なくとも一部に基づく１または複数の制御データ値をデマッピングすることを含むことができる。
【００１４】
別の態様は無線通信装置に関する。無線通信装置は、それぞれ異種の制御データ値を含む複数の論理制御チャネルへ物理制御チャネルをデスクランブルおよび分割するように構成された少なくとも１つのプロセッサを含むことができる。無線通信装置は、さらに少なくとも１つのプロセッサに接続されたメモリを含むことができる。
【００１５】
さらなる別の態様は、１または複数のモバイル機器からの制御データを解釈するための無線通信装置に関する。無線通信装置は、物理制御チャネルを１または複数の論理制御チャネルに分割する手段を含むことができる。無線通信装置は、さらにモバイル機器の識別子に従ってそれに関連する論理制御チャネルをデスクランブルする手段、および前記制御チャネル内に含まれる制御データを解釈する手段を含む。
【００１６】
また更に別の態様は、コンピュータプログラム製品に関し、該コンピュータプログラム製品は、少なくとも１つのコンピュータに、物理制御チャネルを通して受信された制御データをデスクランブルさせるためのコードと、前記少なくとも１つのコンピュータに、前記物理制御チャネルのための論理制御チャネルコンフィギュレーションを決定させるためのコードを持つことができる。さらに、コードは前記少なくとも１つのコンピュータに、前記論理制御チャネルコンフィギュレーションの少なくとも一部分に基づく１または複数の制御データ値のデマッピングを行わせることができる。
【００１７】
別の態様に従うと、無線通信システムにおいて物理制御チャネルを１または複数の論理制御チャネルに分割し、モバイル機器の識別子に従ってそれに関係する前記論理制御チャネルをデスクランブルし、前記制御チャネル内に含まれる制御データを解釈するように構成されたプロセッサを備える装置が提供される。さらに、装置は前記プロセッサに接続されたメモリを備えることができる。
【００１８】
上述の関連する目的を達成するために、１または複数の実施形態は、以下に獣分に説明されるとともに、特に特許請求の範囲に指摘されている特徴を含む。以下の記述及び添付の図面は、１または複数の実施形態のある例示的な態様を詳細に説明する。これらの態様は指標となり得るが、種々の実施形態の原理が適用されることのある種々の手法のうちのほんの数例にすぎず、説明された実施形態は、そのような全ての態様及びそれらと同等なものを含むように意図される。
【図面の簡単な説明】
【００１９】
【図１】図１は、ここで述べられる種々の態様に係る無線通信システムの図である。
【図２】図２は、無線通信環境で採用される通信装置の例を示す図である。
【図３】図３は、制御データの通信を行う無線通信システムの例を示す図である。
【図４】図４は、基地局とモバイル機器との間の通信フレームの例を示す図である。
【図５】図５は、１または複数の論理チャネル上で制御データを通信することを容易にする方法の例を示す図である。
【図６】図６は、１または複数の論理チャネル上で制御データを受信し解釈することを容易にする方法の例を示す図である。
【図７】図７は、制御データを送信することを容易にするモバイル機器の例を示す図である。
【図８】図８は、制御データを受信しデスクランブルすることを容易にするシステムの例を示す図である。
【図９】図９は、ここに述べられる種々のシステムおよび方法と共に使用可能な無線ネットワーク環境の例を示す図である。
【図１０】図１０は、複数の論理制御チャネル上で制御データを送信するシステムの例を示す図である。
【図１１】図１１は、制御データを受信し解釈するシステムの例を示す図である。
【発明を実施するための形態】
【００２０】
以下、図面を参照して種々の実施形態を説明する。ここで、図面中の同等の参照番号は同等の要素を参照するために用いられる。以下の説明では、１または複数の実施形態を十分に理解できるように多くの具体的な詳細を述べる。しかしながら、これらの具体的な詳細なしでそのような実施形態を実施することができるのは明らかであろう。他の事例においては、１または複数の実施形態の説明を容易にするためにブロック図の形で、周知の構成および機器が示されている。
【００２１】
この出願で用いられるように、「コンポーネント」、「モジュール」、「システム」などの用語は、コンピュータ関連エンティティ、あるいは、ハードウェア、ファームウェア、ハードウェアおよびソフトウェアの組合せ、ソフトウェア、あるいは実行中のソフトウェアを示す意図である。例えば、コンポーネントは、これに限定するものではないが、プロセッサ上で実行されているプロセス、プロセッサ、オブジェクト、実行ファイル、実行ファイルのスレッド、プログラム、および／またはコンピュータでもよい。説明のため、コンピュータデバイス上で実行されるアプリケーションおよびコンピュータデバイスは、コンポーネントである。１または複数のコンポーネントは、プロセスおよび／または実行ファイルのスレッド内に存在することがあり、１つのコンポーネントは１つのコンピュータに局在したり、２つ以上のコンピュータに分散されたりすることがある。さらに、これらコンポーネントは、種々のデータ構造が記憶されている種々のコンピュータ読み取り可能な媒体から実行されることがある。コンポーネントは、例えば、１または複数のデータパケット（例えば、ローカルシステム、分散システム、およびまたはインターネットのようなネットワークをまたがった他のシステム内のコンポーネントと信号によりやりとりする他の１つのコンポーネントからのデータ）を有する信号に従って、ローカルおよびまたはリモートプロセスにより通信することができる。
【００２２】
さらに、ここには、モバイル機器に関連して種々の実施形態が説明される。モバイル機器は、システム、加入者ユニット、加入者局、モバイル局、モバイル、リモート局、リモート端末、アクセス端末、ユーザ端末、端末、無線通信機器、ユーザエージェント、ユーザ機器、ユーザ装置（ＵＥ）とも呼ばれることがある。モバイル機器は、携帯電話、コードレス電話、ＳＩＰ（Session Initiation Protocol）電話、無線ローカルループ（ＷＬＬ）局、ＰＤＡ（Personal Digital Assistant）、無線接続機能を備えるハンドヘルド機器、コンピュータ機器、あるいは無線モデムに接続される他のプロセッシング機器でもよい。さらに、ここには種々の実施形態が基地局との関連で説明される。基地局は、１または複数のモバイル機器と通信するために用いられ、アクセスポイント、ノードＢ、あるいは他の用語でも呼ばれることがある。
【００２３】
さらに、ここに説明される種々の態様または特徴は、方法、装置、または標準的なプログラミングおよびまたはエンジニアリング技術を用いる製品として実装されることがある。ここで用いられる用語「製品」は、任意のコンピュータ読み取り可能な機器、キャリア、あるいは媒体からアクセス可能なコンピュータプログラムを包含する意図である。例えば、コンピュータ読み取り可能な媒体は、これに限定されるものではないが、磁気記憶装置（例えば、ハードディスク、フロッピー（登録商標）ディスク、磁気ストライプなど）、光ディスク（例えば、コンパクトディスク（ＣＤ）、ディジタルバーサタイルディスク（ＤＶＤ）など）、スマートカード、フラッシュメモリデバイス（例えば、ＥＰＲＯＭ、カード、スティック、キードライブなど）を含むことができる。さらに、ここに説明される種々の記憶媒体は、１または複数の機器、および／または情報を記憶するための他の機械読み取り可能な媒体を表す。「機械読み取り可能な媒体」という用語は、これに限定されるものではないが、１または複数の命令およびまたはデータを記憶、格納および／または搬送することが可能な無線チャネルおよび種々の他のメディアを含むことができる。
【００２４】
図１を参照すると、無線通信システム１００はここに示される種々の実施形態によって説明される。システム１００は、複数のアンテナグループを含むことができる基地局１０２を備える。例えば、１つのアンテナグループはアンテナ１０４および１０６を含み、他のグループはアンテナ１０８および１１０を含み、さらなるグループはアンテナ１１２および１１４を含む。各アンテナグループについて２本のアンテナが示されているが、より多い数またはより少ない数のアンテナを各グループにおいて利用することができる。基地局１０２は、さらに送信機チェーンと受信機チェーンを含むことができ、その各々が信号の送信および受信に関連した複数のコンポーネント（例えば、プロセッサ、変調器、マルチプレクサ、復調器、デマルチプレクサ、アンテナなど）を同様に含むことができることは、当業者なら理解するであろう。
【００２５】
基地局１０２は、モバイル機器１１６およびモバイル機器１２２のような１または複数のモバイル機器と通信することができる。しかし、基地局１０２はモバイル機器１１６および１２２と同様に、実質的に任意の数のモバイル機器と通信することができることがわかる。モバイル機器１１６および１２２は、無線通信システム１００上で通信するのに適した、例えば、携帯電話機、スマートフォン、ラップトップ、ハンドヘルド通信機器、ハンドヘルドコンピュータ、衛星ラジオ、全地球測位システム、ＰＤＡおよび／または他の任意の機器であってもよい。図示したように、モバイル機器１１６はアンテナ１１２および１１４によって通信を行っており、アンテナ１１２および１１４は前方向リンク１１８でモバイル機器１１６へ情報を送信し、また逆方向リンク１２０でモバイル機器１１６からの情報を受信する。さらに、モバイル機器１２２はアンテナ１０４および１０６によって通信を行っており、アンテナ１０４および１０６は、前方向リンク１２４でモバイル機器１２２へ情報を送信し、また逆方向リンク１２６でモバイル機器１２２からの情報を受信する。周波数分割複信（ＦＤＤ）システムでは、例えば、前方向リンク１１８は逆方向リンク１２０において用いられるそれとは異なる周波数帯を利用することができ、また、前方向リンク１２４は逆方向リンク１２６において用いられるそれとは異なる周波数帯を使用することができる。さらに、時分割複信（ＴＤＤ）システムでは、例えば、前方向リンク１１８および逆方向リンク１２０は共通の周波数帯を利用することができ、また前方向リンク１２４および逆方向リンク１２６は共通の周波数帯を利用することができる。
【００２６】
通信するために指定される各アンテナグループおよび／またはエリアは、基地局１０２のセクタと見なされる。例えば、各アンテナグループは基地局１０２によってカバーされたエリアのセクタ内にあるモバイル機器と通信するように設計される。前方向リンク１１８および１２４での通信において、基地局１０２の送信アンテナは、モバイル機器１１６および１２２への前方向リンク１１８および１２４の信号対雑音比を向上させるためにビームフォーミングを利用することができる。さらに、基地局１０２がビームフォーミングを利用して関連するサービスエリア内にランダムに散在するモバイル機器１１６および１２２に送信している間に隣接セル内のモバイル機器が受ける干渉は、基地局が単一のアンテナを介して全モバイル機器へ送信を行う場合に比較してより少なくなる。
【００２７】
一例によれば、システム１００は多入力・多出力（ＭＩＭＯ）通信システムでもよい。さらに、システム１００はＦＤＤ、ＴＤＤなどのような任意のタイプの複信方式を実質的に利用して通信チャネルを分割することができる（例えば、前方向リンク、逆方向リンク、・・・）。一例においては、モバイル機器１１６および１２２は、基地局１０２と１または複数の通信チャネルを確立することができ、そのようなチャネルの一つは、例えば、チャネル品質情報（ＣＱＩ）および／または信号対雑音比（ＳＮＲ）の通信の通信メトリックについての制御チャネルとなり得る。さらに、通信またはリクエストのチャネルは、一例において異なるチャネルでリクエストデータおよび制御データを通信することをモバイル機器１１６と１２２および基地局１０２に許可することで確立され得る。一例によれば、基地局１０２はモバイル機器１１６および１２２によって受信されたビーコンメッセージを送信することができる。モバイル機器１１６および１２２は、モバイル機器１１６および１２２への制御チャネル、逆方向リンク通信チャネル、バッファ、帯域幅などのようなリソースの割り当てにおいて基地局１０２により利用可能な制御データの送信によって応答することができる。一例において、制御チャネルは、ＣＤＭＡチャネル、ＯＦＤＭＡチャネルおよび／またはそれらの１または複数のチャネル（または実質的に任意の他のタイプの通信チャネル）の組合せになり得る。さらに、ある制御データなどのための冗長な専用チャンネルとして複数の制御チャネルを存在させることができる。
【００２８】
一例によれば、制御チャネルもまたリクエストデータのような他のデータを送信するための１または複数のセグメントに分割することができる。同様に、リクエストチャネルはいくらかの帯域幅セットを通信制御データとは別に持つことができる。さらに、制御チャネルまたはそれを通した通信をセキュリティとダイバーシティのためにスクランブルすることができ、例えば、制御チャネルはモバイル機器１１６と１２２およびセクタまたは基地局の１０２に固有とすることができる。これに関して、チャネル通信はモバイル機器１１６および１２２の識別子（メディアアクセス制御（ＭＡＣ）ＩＤのような）、および／または基地局１０２またはセクタの識別子に固有にスクランブルされ得る。基地局１０２においてＭＡＣ ＩＤおよび／またはスクランブル方法を知ることができることは理解されよう。他の例においては、モバイル機器１１６および１２２は異種の制御チャネルにより複数の基地局へ接続することができ、従ってモバイル機器１１６および１２２は、例えば、１つの基地局について、１つのスクランブルおよび別のスクランブリングをそれぞれ用いるスクランブル通信を要求してもよい。
【００２９】
図２に変わると、無線通信環境のための通信装置２００が示されている。通信装置２００は、例えば基地局、モバイル機器またはそれらの一部分になり得る。通信装置２００は、アクセスポイントまたは端末からの制御チャネルの確立を要求する制御チャネルリクエスタ２０２、チャネル制御に関連する値を定義および／または決定できる制御データデファイナ２０４、安全および／または種々の送信のための制御データをスクランブルできる制御データスクランブラ２０６、および制御チャネルによって制御データを通信するための送信機２０８を含むことができる。一例において、制御チャネルリクエスタ２０２は、基地局またはモバイル機器による制御チャネルの確立を試みることができる。これは初期パイロット、または通信装置２００によって受信されたビーコンタイプブロードキャストに関する情報に基づくか、または当該情報を含むことができる。制御チャネルを確立する際、制御データデファイナ２０４は制御チャネルまたは受信されたビーコン／パイロット通信に関する値またはメトリックを例えば測定するかさもなければ決定し、通信装置２００のＩＤおよび通信している装置のＩＤに基づき、制御データスクランブラ２０６を用いてデータをスクランブルすることができる。通信装置２００は、引き続き送信機２０８を用いて制御チャネルで異種装置にスクランブルされたデータを送ることができる。
【００３０】
別の例によれば、制御データデファイナ２０４は、チャネル（例えば、制御および／またはリクエストチャネル）の一部またはサブセグメントを制御データおよび他の一部またはサブセグメント、その他のデータにより定義および／または設定することができる。例えば、制御データデファイナ２０４は、さらに制御チャネルの一部またはサブセグメントを一つのタイプの制御データおよび他の一部またはサブセグメント、他のタイプの制御データにより、定義および／または設定することができる。制御チャネルは、一例において複数のＯＦＤＭシンボルに拡散された１２８トーンを含む１．２５ＭＨｚのチャンク帯域幅を有する。一例によれば、通信装置２００に対して所定のＭＡＣ ＩＤは、制御データを８ＯＦＤＭシンボル上の１２８トーンとして送信するために、１０ビットのウォルシュ空間（あるいは１０２４ウォルシュ系列または次元）を持つことができる。ウォルシュ空間は、情報を表わすために用いられる、１または複数の異種チャネルへ分割可能な１または複数のＯＦＤＭシンボル上の時間領域系列、またはウォルシュ値の系列を指す。一例において、ウォルシュ系列は８ＯＦＤＭシンボル上の１０２４サブキャリア（例えば、１．２２８８Ｍｂｐｓまたは１．２５ＭＨｚのレートを持つ）によって表わすことができる。ビット表現コンテキストでは、例えば、５ビットのＣＱＩチャネルは最初の３２（０〜３１）値またはウォルシュ系列を利用することができ、また、６ビットのリクエストチャネルは次の６４ビット（３２〜９５）を利用することができる。従って、ＣＱＩおよびリクエストデータは同じチャネル（例えば、同じウォルシュ空間内）上で送信することができる。よって、例えば、そのような情報を受信する際、チャネル上のデータを受信するアクセスポイントまたは端末は、ウォルシュ空間を評価し、制御およびリクエストデータの両方を識別することができる。
【００３１】
前述したように、制御データスクランブラ２０６は、通信装置２００および／またはそれが通信している１または複数の装置の識別に従って、制御データをスクランブルすることができる。一例において、通信装置２００はセクタＩＤを持つ基地局と通信するＭＡＣ ＩＤ（例えば、１または複数の基地局によって割り当てることができる）を持つモバイル機器になり得る。制御データスクランブラ２０６において用いられるスクランブリングは、識別子に従って選択または生成することができる。基地局は、データを受信する際、識別子を用いてデータをデスクランブルすることができる。データはさらに基地局によってスクランブルされ、モバイル機器または他の通信装置２００（例えば、異種の基地局を含む）によってデスクランブルされることが分かる。
【００３２】
さらに、制御チャネルリクエスタ２０２は、アクティブセットにおける複数のアクセスポイントまたは複数の端末から通信または制御チャネルを要求することができる。アクティブセットは、エリア（例えば、一例では複数の基地局またはセクタ）内で通信装置２００が通信することができるアクセスポイントまたは端末を指す。従って、説明するように制御データスクランブラ２０６はデータに異なるセクタにおいて異なるスクランブルをかけることができる。一例において、通信装置２００はＣＱＩに関する制御チャネルまたはその一部、要求、電力増幅器（ＰＡ）ヘッドルームおよびパワースペクトル密度（ＰＳＤ）などを持つモバイル機器になり得る。これらの１または複数は、異種のチャネル上に同じチャネルの部分が異なるアクセスポイントなどへ向けて送信され得る。さらに、モバイル機器はモバイル機器のアクティブセットにおけるすべてのアクセスポイントまたは端末によって実質的に受信可能なパイロットチャネルを持つことができる。この目的を達成するために、例えば、セクタＩＤがセクタからセクタへ変わるので、パイロットチャネル通信はモバイル機器のユニークなＩＤのみを用いてスクランブルされる（ＭＡＣ ＩＤはこの時点で割り当てられなくてもよい）。
【００３３】
図３を参照すると、逆方向リンク肯定応答の通信を有効にする無線通信システム３００が示される。無線通信システム３００は、モバイル機器３０４（または任意の数の異種のモバイル機器（図示せず））と通信する基地局３０２を含んでいる。基地局３０２は、例えば、前方向リンクチャネルを介してモバイル機器３０４へ情報を送信することができ、さらに基地局３０２は逆方向リンクチャネルを介してモバイル機器３０４からの情報を受信し、そして逆方向リンク情報を承認するために前方向リンク肯定応答を送信することができる。さらに、無線通信システム３００は一例としてＭＩＭＯシステムになり得る。
【００３４】
基地局３０２は、逆方向リンクチャンネルの要求を処理して、所望のリソースに一部が基づく逆方向リンクチャネルを確立することができる逆方向リンクチャネルアサイナ３０６と、逆方向リンクを介して受信された通信をデスクランブルすることができる通信デスクランブル３０８と、チャネル上の分割された通信情報からデータを取得することができる通信インタプリタ３１０とを含むことができる。モバイル機器３０４は、制御データの通信用チャネルを要求することができる制御チャネルリクエスタ３１２と、複数の制御データ（またはリクエストデータ）要素の通信用チャネルを分割することができる制御チャネルパーティショナ３１４と、モバイル機器３０４のＩＤ（例えば、ＭＡＣ ＩＤのような）の少なくとも一部に基づいて通信をスクランブルすることができる通信スクランブラ３１６とを備えることができる。
【００３５】
一例によれば、モバイル機器３０４は例えば、基地局３０２によって送られたビーコンに応じて、制御チャネルリクエスタ３１２によって基地局３０２による逆方向リンクチャネルの確立を要求することができる。この例において要求は、ビーコンシンボルに一部が基づくようなＣＱＩ、ＳＮＲ情報などの情報を含み、逆方向リンクチャネルアサイナ３０６は、この情報を利用してモバイル機器のために専用のチャネルおよびリソースを割り当てることができる。後述するように、基地局３０２はモバイル機器３０４のための制御チャネル、リクエストチャネル、パイロットチャネル、他のチャネルおよび／またはそれらの組合せをホストすることができる。さらに、チャネルは、モバイル機器３０４におよび／またはチャネルタイプによって割り当てられるＭＡＣ ＩＤ毎に割り付けられ得る。さらに、割り当てられたチャネルはチャネル効率を最大化する複数の制御値、要求値または他のデータ値を送るために分割され得る。
【００３６】
この目的を達成するために、制御チャネルパーティショナ３１４はこれに関してチャネルを利用することができる。例えば、制御チャネルは、所定のフレーム（８ＯＦＤＭシンボルにわたる１２８のサブキャリアを含む）に及ぶ１．２５ＭＨｚのチャンクを含むことができる。制御チャネルパーティショナ３１４は、チャネルを通して異種の情報の送信および／または多重化するために、チャネルを１または複数のサブセグメントに分割することができる。この例において、１２８のサブキャリアは、データの送信のために利用可能な１０２４ウォルシュ系列（１０ビット空間）を許容する８ＯＦＤＭシンボルに関係することができる。従って、チャネルは例えば所定の制御データのための多数のウォルシュ系列を許容するために分割され得る。さらに、チャネルは所定の制御チャネル内のウォルシュ拡散による共通のインタリービングを用いることができる。ＯＦＤＭシンボルの集合体、シンボルを送信するための期間などによって、のような他の方法でチャネルが同じように分割され得ることは明らかである。
【００３７】
一例によれば、制御チャネルパーティショナ３１４は制御チャネルを、ＣＱＩ情報のためのチャネル、リクエストデータ、ＰＡヘッドルームデータ、およびＰＳＤ表示のような付加制御情報のための１または複数の論理チャネルに分割することができる。一例によれば、論理チャネルにはコンフィギュアラブルな周期性（例えば、８フレーム単位のような）があり得る。各論理チャネルは、ビットの通信を容易にするために必要なビットの数をｎとして２nウォルシュ系列を必要とする。系列の他の数、サイズまたは表現（例えば、２の倍数プラス幾つか、任意の整数、非整数サイズ、整数以外のものの表現その他）が同様に望まれることは理解されよう。一例によれば、ＣＱＩ情報は有効データを送信するために５ビット（あるいは２5＝３２ウォルシュ系列）を必要とし、リクエストおよびＰＡヘッドルームデータは６ビット（あるいは６４ウォルシュ系列）を必要し、またＰＳＤ表示データはデータの送信に４ビット（あるいは１６ウォルシュ系列）を必要とする。従って、１０２４ウォルシュ系列は、必要とされる６４＋６４＋３２＋１６＝１７６系列を扱うのに十分である。よって、より強い送信パワーおよび／または反復送信についての信頼性のために、情報を他の情報などと共に余分に転送することができる。さらに、通信スクランブラ３１６は識別基準に従って、チャネル、実際の物理チャネルおよび／または論理チャネルをスクランブルすることができる。一例において、チャネルをモバイル機器３０４において識別子（ＭＡＣ ＩＤのような）を用いてスクランブルすることができ、加えて（または代わりに）、基地局３０２に対応するセクタ識別子にそのスクランブリングを関連付けることができる。一例によれば、制御チャネルまたは論理チャネルは、例えばデータまたは通信のタイプによって異なるようにスクランブルされ得る。
【００３８】
スクランブリングによって、モバイル機器３０４はＣＤＭＡチャネルとなり得る制御チャネルを通してデータを放送することができる。基地局３０２はデスクランブラ通信デスクランブラ３０８を利用してデータをデスクランブルすることができる。例として、通信デスクランブラ３０８は、例えば、モバイル機器３０４のためのＭＡＣ ＩＤ（チャンネル要求中に受信され得る）および／またはセクタＩＤを利用して、チャネルをデスクランブルすることができる。一例において、例えば、異種チャネルをデスクランブルするために異なる情報を用いることができる。チャネル（論理または物理チャネル）の一部をデスクランブルする際、通信インタプリタ３１０は、後述するように論理チャネルコンフィギュレーションに従ったチャネルを介して送信されるデータを決定することができる（例えば、制御またはリクエストデータのためのチャネルの部分はどれかなど）。論理チャネルコンフィギュレーションは、予め定められるか基地局３０２および／またはモバイル機器３０４において既知であり、モバイル機器３０４からの初期のチャネル設定中に基地局に送られ、推論技術および／または同様なものを用いて決定されることは明らかである。
【００３９】
モバイル機器３０４が、例えば、種々の基地局の逆方向リンクチャネルアサイナ３０６からの複数の制御チャネルを要求できることは明らかである。一例によれば、モバイル機器３０４は（制御チャネルリクエスタ３１２を介して）ＣＤＭＡ制御チャネルおよびＯＦＤＭＡ制御チャネルを確立することができる。制御チャネルは、同じ基地局か異なる基地局によって確立され得る。さらに、制御チャネルを通して異なるデータまたは制御情報を送信することができる。加えて、例えば、通信スクランブラ３１６は、それぞれの基地局またはそれらのセクタによって、制御情報またはデータ通信に異なるスクランブルをかけることができる。
【００４０】
図４を参照すると、無線通信のための通信スーパーフレーム４００の一例が示される。スーパーフレームは、複数のサブキャリアを含む複数のシンボル（ＯＦＤＭシンボルのような）を含むことができる。列は所定の期間における周波数サブキャリア（あるいはトーン）の集まりであるＯＦＤＭシンボル期間を表わすことができる。スーパーフレームは、実質的にいかなる数のシンボル期間も含むことができ、また、シンボル期間は実質的にいかなる数のトーンも含むことができる。図示されるように、スーパーフレームは送信された制御データ４０２、４０４および４０６上の複数のシンボル期間を含むことができる。これらは、さらに上述したようなウォルシュ系列を表わすことができる。制御データは、サブキャリア４０８および同様のもののような複数のサブキャリアを横切って送信され得る。さらに、シンボル期間は利用可能な周波数の一部を表わす１または複数のセグメントに分割され得る。説明の目的のため、各セグメントにおいて４つのシンボルのグループが示されているが、実質的にいかなる数のグループ分けもセグメントに含むことができることは明らかである。
【００４１】
一例によれば、図示のセグメントは、複数タイプの制御情報の送信のために１または複数の論理チャネルに分割された制御チャネルを表わす。例えば、ＣＱＩ情報、リクエストデータ、ＰＡヘッドルーム情報および／またはＰＳＤデータの送信に、１または複数の論理チャネルを利用することができる。さらに、各セグメントはＣＤＭＡ制御データ、パイロットチャネルデータ、専用制御情報、フィードバックデータ（例えば、ＭＩＭＯコンフィギュレーション内の）および／または逆方向リンクアクセスチャネル情報を送信するための異なる物理制御チャネルを表わすことができる。この目的を達成するため、各セグメントはさらに制御データを識別する、および／または１または複数の異種セクタへデータを関連付けるために、異なるようにスクランブルされる。説明するように、モバイル機器は１または複数のセクタによって制御チャネルを確立することができる。セクタ識別子（またはモバイル機器識別子）を用いて、モバイル機器が情報をスクランブルすることができるので、先に示されたスーパーフレームの論理チャネルまたはセグメントに対するスクランブリングを異ならせることができる。さらに、述べるように逆方向リンクが確立されていないパイロットデータの送信のために１または複数のチャネルをパイロットチャネルへ関連付けることができ、この際スクランブリングを正しくモバイル機器に関連付けることができる。
【００４２】
別の例によれば、モバイル機器または他のアクセス端末制御チャネルが、物理チャネルセグメントまたは逆方向リンクＣＤＭＡ個別制御チャネル（Ｒ−ＣＤＣＣＨ）の少なくとも一部（例えば、Ｒ−ＣＤＣＣＨサブセグメント）の上に拡散され得る場合、制御セグメントは通信チャネル（例えば、Ｒ−ＣＤＣＣＨのような１．２５ＭＨｚ物理チャネルセグメント）の一部になり得る。さらに、この物理チャネルセグメントは、より大きな帯域（例えば、制御チャネルが４回までホップする５ＭＨｚ）上にホップすることができる。この目的を達成するため、モバイル機器またはアクセス端末に関して異なる系列を用いてセグメントまたはサブセグメントをスクランブルすることができる。さらに、説明されるように、セグメントまたはサブセグメントに関連付けられたウォルシュ空間を分割することにより、物理チャネルセグメント内の論理チャネルを物理チャネルセグメント内に多重化することができる（例えば、共通のインタリービングによるウォルシュ拡散を用いることによって）。この例において、各サブセットを論理チャネルに対応させることができ、また、モバイル機器は論理チャネルに対応するサブセット内のウォルシュ系列を選択することができる。この選択は、例えばランダムな割り当て、連続的な割り当て、送るべき情報に基づいて、情報サイズに基づいて、情報効率必要条件に基づいて、などの幾つかのファクタに基づくことができる。例えば、図に示されるように、所定のフレームまたはスーパーフレームの複数のシンボル期間４０２、４０４および４０６において制御情報を送信することができる。
【００４３】
前述したように、送信される系列がウォルシュ系列を表わしている場合には、チャネルセグメントをウォルシュ空間へ分割することができる。例えば、最初に示されたチャネル（例えば、上記２つの例で述べられた論理または物理チャネル）内の系列が示すＯＦＤＭシンボル４０２、４０４および４０６上のシンボル４０８は、データ（それらは２進データとして解釈することができる）を示す単一制御チャネルのためのウォルシュ系列の一部になり得る。一例において、制御チャネルは以下のフォーマットに表されるようにさらに分割可能なＣＤＭＡ制御チャネル（例えば、Ｒ−ＣＤＣＣＨ）になり得る。
【表１】
2010508000.tif 000003
【００４４】
この際、チャネルに関して選ばれたウォルシュ系列は、前述のチャネルについてのデータを表わすことができる。ＣＱＩのための５ビット空間では、空間についての値を表現するために３２ウォルシュ系列が必要である。従って、チャネル上で利用可能な最初の３２ウォルシュ系列（０〜３１）を当該表現に用いることができる。リクエストチャネルのための６ビット空間では、空間の可能な値を表現するために６４ウォルシュ系列が必要とされる。従って、次の６４ウォルシュ系列（３２〜９５）を該表現に用いることができる。この系列が連続することにより、論理チャネルのための情報を伝えるために物理チャネルが利用可能なウォルシュ系列を用いて、上記に示された論理チャネルが単一の物理チャネルで送信を行うことができる。これは制御およびリクエスト（また他の）データの送信に必要なチャネルの総数を最小化することができ、従って無線通信をより効率的にする。
【００４５】
さらに、説明するように物理チャネルセグメントを異なるスクランブリング（例えば、モバイル機器および／またはセクタの識別子に従った）を用いてスクランブルすることができる。例えば、モバイル識別子（例えば、ＭＡＣ ＩＤ）および／またはセクタＩＤに従って、物理チャネルセグメントをスクランブルすることができる。これは論理チャネル毎に代えてチャネルセグメント毎に一つのデスクランブルを必要とすることができ、デスクランブルのリソースを節約する。あるいは、スクランブル／デスクランブルは各々のスクランブルのために高速アダマール変換（ＦＨＴ）エンジンを必要とするかもしれない。このアプローチを用いることにより、全チャネルセグメントのために単一の共通ＦＨＴエンジンのみを必要とする。
【００４６】
上記の論理チャネルは、それに含まれる情報によって定義され得る。例えば、ＣＱＩチャネルは、一例によると、４ビットの広帯域チャネル品質表示および１ビットの前方向リンクサービングセクタ情報を持つことができる。リクエスト論理チャネルは、サービングセクタから新しい逆方向リンクリソースを要求するために用いることができ、サービス品質（ＱｏＳ）レベル、バッファレベルおよび／または遅延限界を運ぶことなどができる。さらに、ＰＡヘッドルームチャネルは、例えば、パイロットＣｏＴフィードバックを用いることにより計算できる、または帯域内で送信される、最大の達成可能な受信ＣｏＴ値を含むことができる。さらに、ＰＳＤ表示チャネルは、新しい割当てのために示唆されたデータＰＳＤ値（例えば、最も強い非サービング基地局の逆方向リンク強度に対するサービング基地局の逆方向リンク強度の比のような）に関する情報を伝えることができる。上記の値に関して、利用可能なウォルシュ系列の総数がその値の中で分割される場合には、所望値にマッチするウォルシュ系列の使用によって、全物理チャンネルについてただ一つのウォルシュ系列によって、この情報を伝えることができる。
【００４７】
図５〜６を参照すると、制御チャネルのための論理チャネルの定義に関する手順が示されている。説明の簡単のために、手順は一連の行為として図示されかつ記載されており、ここで図示されかつ記載されたことから、その手順は１または複数の実施形態に従うと、幾つかの行為については行為の順序は限定されず、他の行為と異なる順序および／または同時に起こることが理解され認識されるべきである。例えば、当業者は手順が状態遷移図におけるように一連の相関のある状態またはイベントとしても表すことができるかもしれないと理解し認識するであろう。さらに、１または複数の実施形態に従って手順を実行するために、図示していない全ての行為を必要とする。
【００４８】
図５を参照すると、１または複数のスクランブルされた論理チャネル上で制御データを容易に送信する手順５００が示されている。５０２では、制御データが定義される。一例において、制御データは１または複数のモバイル機器および／またはそれの通信に関わることができる。例えば、制御データは所定のセクタまたはアクセスポイントのためのチャネル品質表示に関わることができ、その情報は確立しているチャネル通信に関するメトリックの測定、セクタによって送られたビーコン信号に関するメトリックの測定等のような種々の方法で得ることができる。他の例によると、制御データは説明されたようなリクエストデータ、ＰＡヘッドルームデータ、ＰＳＤ情報、パイロット、ＭＩＭＯフィードバックなどに関わることができる。さらに、チャネルは通信または非制御データに同様に関わることができる。５０４では、制御データの送信のためにデータを論理チャネルにマッピングすることができる。他の図を参照して説明するように、制御データの送信のために物理チャネルまたはチャネルセグメントを１または複数の論理チャネルに分割することができる。
【００４９】
５０６では、制御チャネルがウォルシュ系列に関連付けられる。前述したように、物理チャネルまたはそれのセグメントは、シンボル系列（ＯＦＤＭシンボルのような）をデータビットに時間と共に関連させることを容易にすると定義されるウォルシュ空間を持つことができる。この際、物理チャネルに関連したウォルシュ空間を異なる論理チャネルのための系列に分割することができる。例えば、制御パラメータは最初の６４ウォルシュ系列（０〜６３）を持つことができ、一方、次のパラメータは次の１６系列（６４〜７９）を持つことができ、この関連で論理制御チャネルを所定のウォルシュ系列に関連付けることができ、またデータビットを送信されるべきウォルシュ系列によって定義することができる。従って、一例においては前述の系列を用いて６４ウォルシュ系列を持つ第１の制御パラメータは６ビットの符号語（２6＝６４）を定義することができ、また第２の制御パラメータは４ビットの符号語を定義することができる。
【００５０】
５０８では、制御チャネルおよび／またはそれと共に関連付けられたウォルシュ系列が機器および／またはセクタＩＤに従ってスクランブルされ得る。例えば、これは制御データおよび／または制御チャネルによって決めることができる。一例において、データは非特定のセクタへ送信されるパイロットデータとなり得る。従って、セクタＩＤは、関連するセクタがアクティブセットの複数および一部であるので、データをスクランブルするために使用されないかもしれない。しかしながら、この例においては、例えば他の機器のための制御データから分化する通信をスクランブルするために、機器ＩＤ（例えば、ＭＡＣ ＩＤ）を用いることができる。さらに、一例において所定の論理チャネルのためのウォルシュ系列をスクランブルすることができる。例えば、５１０ではスクランブルされたデータが１または複数のセクタへ送信される。
【００５１】
図６を参照すると、スクランブルおよび／または分割された制御データの受信および解釈を容易にする手順６００が示されている。６０２では、受信物理チャネル通信から制御チャネルを決定することができる。例えば、物理通信チャネルを複数タイプのデータ（制御、リクエストなど）の送信のためにセグメントに分割することができる。さらに、利用可能なウォルシュ系列によって送られるべき制御データの多重化のために、チャネルセグメントを１または複数の論理チャネルに分割することができる。一例によれば、ＣＱＩ、リクエストデータ、ＰＡヘッドルーム情報、ＰＳＤ情報および／または同様なものに関係する制御データのために、論理チャネルを提供することができる。チャネルのための全ての利用可能なウォルシュ系列の一部を異種の制御データフィールドに割り当てることができるように、その論理チャネルを多重化することができる。
【００５２】
さらに、フィールド、論理チャネルおよび／またはチャネルセグメントをセクタおよび／または機器識別子に従ってスクランブルすることができる。６０４において、これらの識別子に従って制御チャネルをデスクランブルすることができる。説明するように、通信および／またはそのようなものをスクランブルするのに用いられる情報のタイプに依存して通信をデスクランブルするために、ＩＤの１つまたは両方を用いることができる。６０６において、制御データをそれに関連するウォルシュ系列による制御チャネル上で解釈することができる。説明するように、データをチャネルのための利用可能なウォルシュ空間の一部に関連付けることができ、送信された関連するウォルシュ系列からデータを解釈することができる。６０８で、チャネルからの制御データを処理することができる。これは、例えば、受信データに基づくチャネルパラメータの調整、データに基づく値の記憶および／またはロギング、チャネルの閉塞、チャネルの転送、新たなチャネルの開放、チャネルの分割、および／または場合によって制御データの受信に基づく無線通信と関係する幾つかの動作、を含むことができる。
【００５３】
ここに示された１または複数の態様に従って、制御チャネルの分割および／またはデスクランブルのためのスキームに関して推論を行うことができることは明らかである。ここで用いられているように、“推論する（infer）”あるいは“推論（inference）”という用語は、一般に、イベント及びまたはデータを介して取得される観測結果の集合から、システムの状態、環境、及びまたはユーザを推論するプロセスのことをいう。推論は、ある特定のコンテキストまたは動作を特定するために用いられ、あるいは、例えば、複数の状態の確率分布を生成することができる。推論は、確率的であり、すなわち、データ及びイベントの考慮に基づく、興味ある複数の状態についての確率分布の計算である。推論は、イベント及びまたはデータの集合から、より高いレベルのイベントを作成するために用いられる技術をいうことがある。そのような推論は、観測された複数のイベント及びまたは記憶された複数のイベントデータの集合、該複数のイベントが時間的に非常に近く相関するかどうか、及び該複数のイベント及びデータが１または複数のイベント及びデータソースから発生するかどうか、から、新たなイベントあるいはアクションを作成する。
【００５４】
一例によれば、上に示された１または複数の方法は、制御チャネル分割の選択または決定に関係する推論の実施を含むことができる。さらなる例として、選択の以前の分割、他の制御チャネル、制御チャネル内に含まれるデータ等の一部に基づいて推論を行うことができる。さらに、以前のスクランブル、モバイル機器および／またはセクタのＩＤまたはバージョン、他の測定可能な情報および／または同種のものに従って制御チャネル通信をデスクランブルすることに関して推論を行うことができる。先の例は本来説明のためのものであり、行われる推論の数、あるいは、ここで説明される種々の実施形態及びまたは方法とともに行われるそのような推論の手法を限定するようには意図はないことが分かる。
【００５５】
図７は、１または複数の論理制御チャネルで制御データを送信することを容易にするモバイル機器７００の図である。モバイル機器７００は、例えば、受信アンテナ（図示せず）から信号を受信し、一般的な動作（例えば、濾波する、増幅する、ダウンコンバートする、など）を行う受信機７０２を含み、調整済みの信号をディジタル化してサンプルを得る。受信機７０２は、例えばＭＭＳＥ受信機となり得、前述したようなシンボルの互いに直交するクラスタに関する情報を得ることができる。さらに、モバイル機器７００は、受信情報を復調可能な復調器７０４を含むことができる。プロセッサ７１０は、受信機７０２による受信情報を分析し、および／または送信機７１６による送信のための情報を生成するための専用プロセッサ、モバイル機器７００の１または複数のコンポーネントを制御するプロセッサ、および／または受信機７０２による受信情報を分析し、送信機７１６による送信のための情報を生成し、モバイル機器７００の１または複数のコンポーネントを制御するプロセッサになり得る。さらに、制御チャネルデファイナ７０６はここで説明するように物理チャネルを１または複数のセグメントおよび／または論理制御チャネルに分割するために設けられ、また、制御チャネルスクランブラ７０８は制御チャネルを通して送られる通信をスクランブルする。
【００５６】
モバイル機器７００は、さらに、プロセッサ７１０と動作可能に結合されるメモリ７１２を含むことができ、メモリ７１２は送信されるべきデータ、受信データ、利用可能なチャネルに関する情報、分析された信号および／または干渉強度に関連するデータ、割り当てられたチャネルに関する情報、電力、レートなど、及びチャネル推定やチャネルを介した通信に適した幾つかの他の情報を記憶することができる。メモリ７１２は、さらにチャネルの推定および／または利用（例えば、パフォーマンスベース、キャパシティベースなど）に関連するプロトコルおよび／またはアルゴリズムを記憶することができる。さらに、メモリ７１２は、例えば、肯定応答シンボル及びそれと共に関連したチャネル解除の復調および解釈と関係する情報を記憶することができる。
【００５７】
ここに示されたデータ記憶部（例えば、メモリ７１２）は、揮発性メモリまたは不揮発性メモリのいずれかであるか、揮発性及び不揮発性メモリの両方を含むかは理解されよう。これに限定されるものではないが、実例として不揮発性メモリはリードオンリーメモリ（ＲＯＭ）、プログラマブルＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。これに限定されるものではないが、実例としてＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）およびダイレクトランバスＲＡＭ（ＤＲＲＡＭ）のような多くの形で利用可能である。対象システムおよび方法のためのメモリ７１２は、限定されることなく、これらのメモリおよび他の適切なタイプのメモリを含むように意図される。
【００５８】
一例によれば、例えば、モバイル機器７００は、基地局または他のアクセスポイントとの制御チャネルリンクを要求し確立することができる。制御チャネルデファイナ７０６は、制御チャネルを前述したような１または複数の物理チャネルセグメントに分割することができる。例えば、制御チャネルセグメントは、１または複数の基地局による１または複数の確立された制御チャネルに関係することができる。制御チャネルデファイナ７０６は、さらに、１または複数のチャネルセグメントを制御情報の一部を送信するための論理制御チャネルに分割することができる。例えば、制御チャネルデファイナ７０６は、１または複数の論理チャネルへの物理チャネルのための利用可能なウォルシュ系列の総数を分割することができる。これに関して、他の図を参照して説明したように、制御チャネルデファイナ７０６はウォルシュ系列の一部が１または複数の制御データ値に割り付けられることを可能にする。一例において、１．２５ＭＨｚチャネルは８つのＯＦＤＭシンボル上に１２８のトーンとして１０ビットのウォルシュ空間を持つことができ、これは１０２４の異なるウォルシュ系列を論理制御チャネルでの利用のために提供する。従って、系列は論理チャネルと共に使用するために分離され、その分離はここで説明した通り順次にされ得るか、または１または複数のアルゴリズムなどによって定義されてランダム化され得る。
【００５９】
さらに、制御チャネルスクランブラ７０８は、モバイル機器７００および／またはそれに関連するセクタの識別子に従ってチャネル上の通信をスクランブルすることができる。説明されるように、スクランブリングはデータがモバイル機器７００のパイロットチャネルに関連するモバイル機器ＩＤとのみ関連することができる。さらに、例えば、スクランブリングは１つのチャネルセグメント毎に、および／または１つの論理チャネル毎に、１つの物理チャネル毎になされ得る。データは、スクランブルされた後、変調器７１４を用いた変調及び送信機７１６上での送信により、制御チャネルを通して送信され得る。制御チャネルデファイナ７０６、制御チャネルスクランブラ７０８および／またはそこに表された機能性は、分離したコンポーネントとして示されているが、例えば、プロセッサ７１０の全体または一部分に実装され得ることは理解されよう。さらに、メモリ７１２は、スクランブリングアルゴリズム、チャネル定義および／またはこれに類似のもののような、前述の関数の実行に関する命令、またはそれに関係するデータを含むことができる。
【００６０】
例えば、図８はＭＩＭＯ環境下で制御チャネルデータを受信し解釈することを容易にするシステム８００の図である。システム８００は、１または複数のモバイル機器８０４からの信号を複数の受信アンテナ８０６を介して受信する受信機８１０および送信アンテナ８０８を介して１または複数のモバイル機器８０４に送信する送信機８２４を備えた基地局８０２（例えば、アクセスポイント、…）を含む。受信機８１０は、受信アンテナ８０６から情報を受信することができ、受信情報を復調する復調器８１２と動作可能に関連付けられている。復調されたシンボルは、プロセッサ８１４によって分析され、プロセッサ８１４は図７に関して上述したプロセッサに類似されることができ、そしてプロセッサ８１４はメモリ８１６に結合され、メモリ８１６は、信号（例えば、パイロット）強度および／または干渉強度に関する情報、モバイル機器８０４（あるいは異種の基地局（図示されない））に送信されるか、またはモバイル機器から受信されるデータ、および／またはここに述べられた種々の動作および関数の実行と関係する他の適切な情報の推定に関係する情報を記憶する。プロセッサ８１４はさらに、１または複数の制御チャネル（あるいはセグメント／論理制御チャネル）をデスクランブルすることができる制御チャネルデスクランブラ８１８に、および１または複数の制御チャネルからのデータを解釈することができる制御チャネルインタプリタ８２０に結合される。
【００６１】
一例によれば、基地局８０２は１または複数のモバイル機器８０４を備えた制御チャネルを確立することができ、例えばＲｘアンテナ８０６および受信機８１０によって制御データに関連する通信を受信することができる。一例において、説明されるように、制御チャネルおよび／またはその上の通信は、１または複数のセグメントおよび／または論理的な通信チャネルへ分割され得る。さらに、チャネルは識別および他の通信の間の区別を容易にするため、物理的で、セグメント化され、および／または論理レベルでスクランブルされ得る。この点に関して、プロセッサ８１４は受信された通信を処理し、そして望ましいデータを抽出するために制御チャネルデスクランブラ８１８および制御チャネルインタプリタ８２０を利用することができる。
【００６２】
例えば、制御チャネルデスクランブラ８１８は、１または複数のモバイル機器８０４の少なくとも１つの識別子、また幾つかの例においては、例えば、基地局８０２および／またはそれのセクタ識別子によって、通信をスクランブルするために用いることができる。説明されるように、論理チャネル、セグメントおよび／または物理チャネルをスクランブルすることができ、制御チャネルデスクランブラ８１８は、プリコンフィギュレーション、推論技術、１または複数のモバイル機器８０４または他の基地局８０２からの受信情報、基地局８０２と通信する基本的なネットワークなどに基づいて、適切なレベルでデスクランブルすることができる。チャネルをデスクランブルする際、制御チャネルインタプリタ８２０は制御チャネルから情報を得るために活用され得る。説明されるように、チャネルは、共有されるウォルシュ空間を用いることができる１または複数のセグメントおよび１または複数の論理チャネルへ分割され得る。一例において、チャネルは多数のウォルシュ系列に基づいて多数の制御値について、データを解釈するために要求される、利用可能なそれらから論理的に分割され得る。制御チャネルインタプリタ８２０は、制御データとして送信されたウォルシュ系列を決定するためにそのような情報を利用することができる。説明されるように、制御チャネルインタプリタ８２０は、制御チャネルコンフィギュレーションを決定するために、プリコンフィギュレーション、推論技術、１または複数のモバイル機器８０４または他の基地局８０２からの受信情報、基基地局８０２と通信する根本的なネットワークなどを利用することができる。
【００６３】
図９は、無線通信システム９００の一例を示す。無線通信システム９００は、説明の簡単のため１つの基地局９１０と１つのモバイル機器９５０が描かれている。しかし、システム９００が複数の基地局および／またはモバイル機器を含むことができ、追加の基地局および／またはモバイル機器は以下に説明されるように基地局９１０およびモバイル機器９５０の例とは実質的に同様かまたは異なるものであってもよいことは理解されよう。さらに、基地局９１０および／またはモバイル機器９５０がシステム（図１−３および７−８）、技術／構成（図４）および／または方法（図５−６）を用いて、これらの間の無線通信を間に容易にすることができることは理解されよう。
【００６４】
基地局９１０では、多数のデータストリームのためのトラフィックデータがデータソース９１２から送信（ＴＸ）データプロセッサ９１４に提供される。一例によれば、各データストリームはそれぞれのアンテナで送信され得る。ＴＸデータプロセッサ９１４は、トラフィックデータストリームをそのデータストリームに選ばれた特定の符号化スキームに基づいて、フォーマットし、符号化し、インタリーブして符号化データを得る。
【００６５】
各データストリームの符号化データは、直交周波数分割多重（ＯＦＤＭ）技術を用いて、パイロットデータと多重化され得る。さらに、またはこれに代わりパイロットシンボルは、周波数分割多重（ＦＤＭ）化、時分割多重化（ＴＤＭ）化、または符号分割多重（ＣＤＭ）化され得る。パイロットデータは、一般に既知の手法で処理され、チャネル応答を推定するためにモバイル機器９５０で用いることができる既知のデータパターンである。各データストリームの多重化されたパイロットおよび符号化データは、各データストリームの多重化されたパイロット及び符号化データは、そのデータストリームのために選択された特定の変調スキーム（例えば、２位相シフトキーイング（ＢＰＳＫ）、４位相シフトキーイング（ＱＰＳＫ）、Ｍ−位相符号化キーイング（Ｍ−ＰＳＫ）、Ｍ−直交振幅変調（Ｍ−ＱＡＭ））に基づいて変調され（例えばシンボルマッピングされ）、変調シンボルが得られる。各データストリームのデータレート、符号化および変調は、プロセッサ９３０によって実行されるかまたは与えられる命令によって決定され得る。
【００６６】
各データストリームの変調シンボルは、ＴＸ ＭＩＭＯプロセッサ９２０に与えられ、ここで変調シンボルが（例えば、ＯＦＤＭのために）さらに処理され得る。
【００６７】
ＴＸ ＭＩＭＯプロセッサ９２０は、その後ＮＴ個の変調シンボルストリームをＮＴ送信機（ＴＭＴＲ）９２２ａ〜９２２ｔに供給することができる。種々の実施形態において、ＴＸ ＭＩＭＯプロセッサ９２０は、データストリームのシンボル、およびそのシンボルを送信しているアンテナにビームフォーミングウェイトを適用する。
【００６８】
各送信機９２２は、それぞれのシンボルストリームを受信して処理し、１または複数のアナログ信号を生成し、さらに当該アナログ信号を調整し（例えば、増幅する、濾波する及びアップコンバートする）、ＭＩＭＯチャネルでの送信に適した変調信号を提供する。さらに、送信機９２２ａ〜９２２ｔからのＮＴ個の変調信号は、それぞれＮＴ個のアンテナ９２４ａ〜９２４ｔから送信される。
【００６９】
モバイル機器９５０では、送信された変調信号がＮＲアンテナ９５２ａ〜９５２ｒによって受信され、また各アンテナ９５２からの受信信号はそれぞれの受信機（ＲＣＶＲ）９５４ａ〜９５４ｒに供給される。各受信機９５４はそれぞれの信号を調整し（例えば、増幅する、濾波する及びダウンコンバートする）、調整後の信号をディジタル化して複数のサンプルを生成し、さらにそのサンプルを処理して、対応する「受信」シンボルストリームを生成する。
【００７０】
ＲＸデータプロセッサ９６０は、特定の受信機処理技術に基づいて。ＮＲ個のＮＲ受信機９５４からのＮＲ個の受信シンボルストリームを受信して処理し、ＮＴ個の「検出された」シンボルストリームを生成する。ＲＸデータプロセッサ９６０は、各検知されたシンボルストリームを復調し、デインターリーブし、復号してデータストリームのためのトラフィックデータを回復することができる。ＲＸデータプロセッサ９６０による処理は、基地局９１０でのＴＸ ＭＩＭＯプロセッサ９２０およびＴＸデータプロセッサ９１４によって実行される処理を補完する。
【００７１】
プロセッサ９７０は、上述したようにどのプリコーディングマトリックスを利用するかを周期的に決めることができる。さらに、プロセッサ９７０は、マトリックスインデックス部分とランク値部分とを含む逆方向リンクメッセージを作成することができる。
【００７２】
逆方向リンクメッセージは、通信リンクおよび／または受信データストリームに関する種々のタイプの情報を含むことができる。逆方向リンクメッセージは、データソース９３６から多数のデータストリームについてのトラフィックデータも受信するＴＸデータプロセッサ９３８によって処理され、変調器９８０によって変調され、送信機９５４ａ〜９５４ｒによって調整され、さらに基地局９１０へ返送される。
【００７３】
基地局９１０では、モバイル機器９５０からの変調信号がアンテナ９２４によって受信され、受信機９２２によって調整され、復調器９４０によって復調され、さらにＲＸデータプロセッサ９４２によって処理されて、モバイル機器９５０によって送信された逆方向リンクメッセージが抽出される。さらに、プロセッサ９３０は抽出されたメッセージを処理して、ビームフォーミングウェイトの決定に関してどのプリコーディングマトリックスを用いるかを決定することができる。
【００７４】
プロセッサ９３０および９７０は、それぞれ基地局９１０およびモバイル機器９５０での動作（例えば、制御する、調整する、管理する、など）を指示することができる。プロセッサ９３０および９７０は、それぞれプログラムコードおよびデータを記憶するメモリ９３２および９７２に関連付けられることができ。プロセッサ９３０および９７０は、さらにアップリンクとダウンリンクのそれぞれについて周波数およびインパルス応答推定を得るための計算を実行することもできる。
【００７５】
ここに説明された実施形態は、ハードウェア、ソフトウェア、ミドルウェア、マイクロコード、あるいはこれらの任意の組合せにより実装することができることは言うまでもない。ハードウェアで実装する場合、複数の処理ユニットは、特定用途向け集積回路（ＡＳＩＣ）、ディジタル信号プロセッサ（ＤＳＰ）、ディジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、ここに説明された機能を実行するために設計された他の電子ユニット、あるいは、これらの任意の組合せのうちの１または複数を用いて実装され得る。
【００７６】
実施形態がソフトウェア、ファームウェア、ミドルウェアまたはマイクロコード、プログラムコードまたはコードセグメントで実装される場合、それらは記憶コンポーネントのような機械読み取り可能な媒体に記憶され得る。コードセグメントは、プロシジャ、関数、サブプログラム、プログラム、ルーチン、サブルーチン、モジュール、ソフトウェアパッケージ、クラス、あるいは命令、データ構造、プログラムステートメントの任意の組合せを表す。コードセグメントは、情報、データ、引数、パラメータ、またはメモリコンテンツを渡したり、受信したりすることにより、他のコードセグメントまたはハードウェア回路に連結されている。情報、引数、パラメータ、データなどは、メモリシェアリング、メッセージパッシング、トークンパッシング、ネットワーク送信などを含む任意の適切な手段を用いて渡され、転送され、送信される。
【００７７】
ソフトウェア実装の場合、ここに説明される技術は、ここに説明される機能を実行するモジュール（例えばプロシジャ、関数など）で実装され得る。ソフトウェアコードは、メモリユニットに記憶され、プロセッサにより実行される。メモリユニットは、プロセッサ内、または、当該技術において既知の種々の手段を通じてプロセッサと通信可能に接続されている場合には、プロセッサの外部に実装され得る。
【００７８】
図１０を参照すると、１または複数の論理チャネルを通して制御データを送信するシステム１０００が示される。例えば、システム１０００は、少なくとも一部はモバイル機器内に存在することができる。システム１０００は、複数の機能ブロックを含むように表されており、当該複数のブロックは、プロセッサ、ソフトウェア、またはこれらの組合せ（例えばファームウェア）により実装される機能を表す。システム１０００は、協働で動作する複数の電気コンポーネントの論理グルーピング１００２を含む。例えば、論理グルーピング１００２は、１または複数の論理制御チャネル１００４に制御データを関連付けるための電気コンポーネントを含むことができる。例えば、複数の制御データ値はチャネルを通して送信され、制御データの受信端上のチャネルリソースの管理を可能にすることができる。さらに、論理チャネルグルーピング１００２は、１つの物理制御チャネル１００６上の１または複数の論理制御チャネルの多重化のための電気コンポーネントを含むことができる。例えば、説明されるように、物理制御データチャネル（例えば、逆方向リンク制御チャネルまたはＣＤＭＡチャネル）は、それに関連するウォルシュ空間の分割により１または複数の論理チャネルに分割され得る。ウォルシュ空間の系列は、一つの物理チャネルを通して制御データを同時に送信することを可能にする１または複数の論理チャネルに割り当てられ得る。さらに、論理グルーピング１００２は、物理制御チャネル１００８を介して制御データを送信するための電気コンポーネントを含むことができる。先に述べたように、この制御データは一例においてモバイル機器と基地局の間で確立され得る逆方向リンクチャネルを通して送信され得る。さらに、システム１０００は電気コンポーネント１００４、１００６および１００８に関連付けられた機能を実行するための命令を保持するメモリ１０１０を含むことができる。メモリ１０１０の外部に示されているが、電気コンポーネント１００４、１００６および１００８の１または複数は、メモリ１０１０内に存在することができることは言うまでもない。
【００７９】
図１１に変わって、１または複数の論理制御チャネルから制御データを受信し解釈することを容易にするシステム１１００が示される。システム１１００は、例えば、基地局内に少なくとも一部分が存在することができる。図示されるように、システム１１００はプロセッサ、ソフトウェア、またはこれらの組合せ（例えば、ファームウェア）により実装される機能を表す複数の機能ブロックを含む。システム１１００は、制御データの受信およびデスクランブルを容易にする電気コンポーネントの論理グルーピング１１０２を含むことができる。論理グルーピング１１０２は、物理制御チャネルを１または複数の論理制御チャネル１１０４に分割するための電気コンポーネントを含むことができる。説明されるように、モバイル機器は論理的に物理制御チャネルを分離することができ、そして基地局は用いられるスキームによって解釈することができる。一例において、モバイル機器はこの情報を基地局へ送信することができる。さらに、論理グルーピング１１０２は、それに関連するモバイル機器の識別子に従って論理制御チャネルをデスクランブルするための電気コンポーネント１１０６を含むことができる。説明されるように、チャネル、すなわちその上のデータは、制御データが他のモバイル機器のそれと区別がつくように、モバイル機器の識別子に従ってスクランブルされ得る。これは、例えば、基地局のアクティブセットが複数のパイロットデータ値を受信できる場合には、パイロットデータの場合において生じる。さらに、論理グルーピング１１０２は、制御チャネル１１０８内に含まれる制御データの解釈のための電気コンポーネントを含むことができる。このデータは、ＣＱＩ値、リクエストデータ、ＰＡヘッドルームデータ、ＰＳＤデータ、パイロットチャネルデータ、ＭＩＭＯフィードバックおよび／または同様のものに関連付けられ得る。さらに、システム１１００は、電気コンポーネント１１０４、１１０６および１１０８に関連付けられた機能を実行するための命令を保持するメモリ１１１０を含むことができる。メモリ１１１０の外部に示されているが、電気コンポーネント１１０４、１１０６および１１０８がメモリ１１１０内に存在することができることは言うまでもない。
【００８０】
以上説明してきたものは、１または複数の実施形態の例を含んでいる。もちろん、前述した実施形態を説明する目的で、コンポーネントや手順のあり得る全ての組合せを説明することは不可能であるが、当業者は種々の実施形態の多くのさらなる組合せおよび置き換えが可能であることは理解できよう。従って、説明された実施形態は、添付のクレームの趣旨及び範囲内にある、そのような全ての種々の変形を包含することを意図するものである。さらに、“含む（includes）”という用語は、詳細な説明や請求の範囲で用いられる範囲において、“具備する（comprising）”という用語が請求の範囲中で移行語として用いられるときに“具備する”が解釈されるのと同様に包括的であることを意図している。
【図１】
2010508000.tif 000004
【図２】
2010508000.tif 000005
【図３】
2010508000.tif 000006
【図４】
2010508000.tif 000007
【図５】
2010508000.tif 000008
【図６】
2010508000.tif 000009
【図７】
2010508000.tif 000010
【図８】
2010508000.tif 000011
【図９】
2010508000.tif 000012
2010508000.tif 000013
【図１０】
2010508000.tif 000014
【図１１】
2010508000.tif 000015
【国際調査報告】
2010508000.tif 000016
2010508000.tif 000017